(57)【要約】【課題】十分な風量および静圧を得ることができ、ファン性能の向上を図ることができるファンモータを提供する。【解決手段】ファンモータ１のインペラ８において、円周Ｃ１上に複数の外周側羽根部２３を配置し、ボス部１９と外周側羽根部２３との間において円周Ｃ２上に複数の内周側羽根部２４を配置する。このように二重に設けた羽根部２３，２４において、円周Ｃ２の接線Ｌ５に対する各内周側羽根部２４の傾き角θ２を円周Ｃ１の接線Ｌ２に対する各外周側羽根部２３の傾き角θ１よりも小さくする。傾き角が比較的大きい外周側羽根部２３は、主として風量を発生させるのに寄与し、傾き角が比較的小さい内周側羽根部２４は、主として静圧を高めるのに寄与する。これらの外周側羽根部２３と内周側羽根部２４との協働により、十分な風量および静圧を得るようにし、ファン性能の向上を図る。【選択図】図７
2013072388.tif 000002
【特許請求の範囲】
【請求項１】
対面する第１及び第２の壁部の前記第１の壁部に吸気口が形成されたケーシングと、前記ケーシング内で前記第２の壁部に固定されたモータ部と、前記モータ部に取り付けられて、前記モータ部の回転軸線を中心に回転するインペラと、を備えたファンモータにおいて、
前記インペラは、
前記モータ部が内部に配置されるボス部と、
前記ボス部の周囲で前記回転軸線に対し略直交して延在する板部と、
前記板部から前記回転軸線方向に突出すると共に、前記回転軸線を中心とする第１の円周上に中心点が位置するように配置された複数の外周側羽根部と、
前記ボス部と前記外周側羽根部との間において、前記板部から前記回転軸線方向に突出すると共に、前記回転軸線を中心とする第２の円周上に中心点が位置するように配置された複数の内周側羽根部と、を有し、
前記内周側羽根部の前記中心点における前記第２の円周の接線と前記インペラの回転方向における前記内周側羽根部の両端を結ぶ直線とのなす傾き角は、前記外周側羽根部の前記中心点における前記第１の円周の接線と前記インペラの回転方向における前記外周側羽根部の両端を結ぶ直線とのなす傾き角よりも小さいことを特徴とするファンモータ。
【請求項２】
前記外周側羽根部の枚数は、前記内周側羽根部の枚数よりも多いことを特徴とする請求項１記載のファンモータ。
【請求項３】
前記内周側羽根部および前記外周側羽根部は、前記板部の前記第１の壁部側に設けられており、前記板部の前記第２の壁部側には、前記ボス部との間に円環状のスペースを確保するようにして複数の他の羽根部のみが設けられていることを特徴とする請求項１又は２記載のファンモータ。
【発明の詳細な説明】
【技術分野】
【０００１】
本発明は、ファンモータに関し、例えばノートパソコン、デジタルビデオカメラ、カーナビゲーションなどの機器に内蔵されて、これらの冷却に利用される小型のブロア型ファンモータに関する。
【背景技術】
【０００２】
従来、このような分野の技術として、特開２００５−２１４１０７号公報に記載されたファンモータがある。このファンモータでは、ケーシングの上下面に形成された吸気口から空気を取り込み、取り込んだ空気をケーシングの側面に形成された排気口から排出する。このファンモータのインペラは、モータを収容するためのモータ収容部（ボス部）を中央に有し、モータ収容部の周囲に上部羽根と下部羽根とを有している。それぞれ複数設けられた上部羽根および下部羽根は、これらの間に延在する連結板によって連結され、一体成形されている。
【０００３】
上部羽根および下部羽根は、インペラの回転方向に対して垂直に設けられると共に、回転方向において互いにずれるようにして交互に配置されている。このような構成により、インペラがケーシング内で回転する際に、上部羽根によって発声する音と下部羽根によって発生する音とが互いに打ち消し合うようにし、その結果、ファンモータから発生する騒音を低減している。
【先行技術文献】
【特許文献】
【０００４】
【特許文献１】２００５−２１４１０７号公報
【発明の概要】
【発明が解決しようとする課題】
【０００５】
このようなファンモータにおいては、風量および静圧を十分に発揮し得ることが求められる。しかしながら、上記した従来のファンモータでは、騒音の低減が図られるものの、十分な風量および静圧を得ることが難しかった。
【０００６】
本発明は、十分な風量および静圧を得ることができ、ファン性能の向上を図ることができるファンモータを提供することを目的とする。
【課題を解決するための手段】
【０００７】
上記課題を解決したファンモータは、対面する第１及び第２の壁部の第１の壁部に吸気口が形成されたケーシングと、ケーシング内で第２の壁部に固定されたモータ部と、モータ部に取り付けられて、モータ部の回転軸線を中心に回転するインペラと、を備えたファンモータにおいて、インペラは、モータ部が内部に配置されるボス部と、ボス部の周囲で回転軸線に対し略直交して延在する板部と、板部から回転軸線方向に突出すると共に、回転軸線を中心とする第１の円周上に中心点が位置するように配置された複数の外周側羽根部と、ボス部と外周側羽根部との間において、板部から回転軸線方向に突出すると共に、回転軸線を中心とする第２の円周上に中心点が位置するように配置された複数の内周側羽根部と、を有し、内周側羽根部の中心点における第２の円周の接線とインペラの回転方向における内周側羽根部の両端を結ぶ直線とのなす傾き角は、外周側羽根部の中心点における第１の円周の接線とインペラの回転方向における外周側羽根部の両端を結ぶ直線とのなす傾き角よりも小さいことを特徴とする。
【０００８】
このファンモータのインペラは、外周側羽根部と内周側羽根部とをそれぞれ複数有している。外周側羽根部は、中心点が第１の円周上に位置するように配置されており、内周側羽根部は、ボス部と外周側羽根部との間において、中心点が第２の円周上に位置するように配置されている。ここで、羽根部の中心点とは、羽根部の厚みを等分する中線の中点である。このように二重に設けられた羽根部において、内周側羽根部の中心点における第２の円周の接線とインペラの回転方向における内周側羽根部の両端を結ぶ直線とのなす傾き角は、外周側羽根部の中心点における第１の円周の接線とインペラの回転方向における外周側羽根部の両端を結ぶ直線とのなす傾き角よりも小さくなっている。このように、円周の接線に対する傾き角が比較的大きい外周側羽根部は、主として風量を発生させるのに寄与し、円周の接線に対する傾き角が比較的小さい内周側羽根部は、空気の逆流を防止することにより、主として静圧を高めるのに寄与する。したがって、これらの外周側羽根部と内周側羽根部との協働により、十分な風量および静圧を得ることができ、ファン性能の向上を図ることができる。
【０００９】
また、上記ファンモータにおいて、外周側羽根部の枚数は、内周側羽根部の枚数よりも多い。通常、風量を確保するためには、羽根部は全体として所定の表面積を有することが求められる。ここで、風量の発生に寄与する外周側羽根部の枚数を多くすることで、全体として所定の表面積を維持しながらも、外周側羽根部１枚あたりの表面積を小さくできる。これにより、外周側羽根部１枚あたりによって送られる風量を少なくでき、ケーシングとインペラとの間で生じる騒音を低減することができる。
【００１０】
また、上記ファンモータにおいて、内周側羽根部および外周側羽根部は、板部の第１の壁部側に設けられており、板部の第２の壁部側には、ボス部との間に円環状のスペースを確保するようにして複数の他の羽根部のみが設けられている。第２の壁部にはモータ部が固定されるため、モータ部周辺には、リード線等のためのスペースが必要となる。ここで、板部の第２の壁部側には、ボス部との間に円環状のスペースを確保するようにして他の羽根部のみが設けられ、その内周側には羽根部は設けられない。よって、リード線等のためのスペースを確保しつつ、最大限の風量を発揮することができる。
【発明の効果】
【００１１】
本発明によれば、十分な風量および静圧を得ることができ、ファン性能の向上を図ることができる。
【図面の簡単な説明】
【００１２】
【図１】本発明に係るファンモータの一実施形態を示す斜視図である。
【図２】図１のファンモータを底面側から見た斜視図である。
【図３】図１のファンモータの平面図である。
【図４】図１のファンモータの底面図である。
【図５】図１のファンモータの縦断面図である。
【図６】図１中のインペラを示す斜視図である。
【図７】（ａ）は図６のインペラの平面図、（ｂ）は外周側羽根部の傾き角を示す平面図、（ｃ）は内周側羽根部の傾き角を示す平面図である。
【図８】（ａ）は図６のインペラの底面図、（ｂ）は羽根部の傾き角を示す底面図である。
【図９】（ａ）〜（ｃ）は、比較例に係るファンモータのインペラを示す斜視図である。
【発明を実施するための形態】
【００１３】
以下、本発明の実施形態について、図面を参照しながら説明する。
【００１４】
図１〜図５に示されるように、ファンモータ１は、例えばノートパソコン、デジタルビデオカメラ、カーナビゲーションなどの機器に内蔵されて、これらの冷却に利用される小型のブロア型ファンモータである。
【００１５】
ファンモータ１のケーシング２は、略円形の第２の壁部３の周縁に第３の壁部４が垂直に連設されてなるケーシング本体２ａと、第２の壁部３に対面するようにケーシング本体２ａの開口の一部を塞ぐカバー６と、を有する。以下、第２の壁部３及び第３の壁部４は単に壁部３，４という。カバー６には、円形の吸気口６ａが形成されており、壁部３には、吸気口６ａに対面する３つの吸気口３ａが壁部中心３ｂの周囲に形成されている。また、壁部４の一部には、長方形の排気口４ａが形成されている。このように、ファンモータ１は、両面吸気でサイドフロータイプのファンモータである。
【００１６】
ファンモータ１は、ケーシング２内に固定されて、通電により回転力を生じるモータ部７と、モータ部７に取り付けられて、モータ部７で生じた回転力により回転軸線Ｘを中心に回転する樹脂製のインペラ８とを備えている。これらのモータ部７及びインペラ８は、ケーシング２内に収容されている。ファンモータ１は、インペラ８の回転により、吸気口６ａ，３ａから空気を吸い込むと共に排気口４ａから空気を排出する。
【００１７】
図５に示されるように、３つの吸気口３ａの中心に位置する壁部中心３ｂ上には、ケーシング２の内方に向けて突出する円筒部３ｃが形成されている。モータ部７は、壁部中心３ｂ及び円筒部３ｃに対して固定されている。
【００１８】
モータ部７は、円筒部３ｃ上に固定された回路基板９と、回路基板９上に重ねて固定されて、インペラ８の停止位置を規制するためのフラックスプレート１０とを有している。またモータ部７は、フラックスプレート１０上に固定されて、磁気回路を形成するためのコア１１と、コア１１に固定されたコイルボビン１２と、コイルボビン１２に巻きつけられて、コア１１に磁束を流すためのコイル１３とを有している。回路基板９には、磁気を検知するホール素子（図示せず）などが搭載され、ホール素子からの電気信号に基づいてコイル１３への給電が制御される。
【００１９】
さらに、モータ部７は、円筒部３ｃ内に下部が嵌入されて、円筒部３ｃに固定された円筒状のメタルホルダー１４と、メタルホルダー１４内に嵌入されて、メタルホルダー１４に対し圧入などにより固定された筒状の油含浸軸受１６と、油含浸軸受１６の軸孔１６ａ内に挿入されて上下方向に延び、油含浸軸受１６に対し回転自在なシャフト１７とを有している。メタルホルダー１４、油含浸軸受１６、及びシャフト１７は、回転軸線Ｘを中心として同軸に配置されている。シャフト１７の下端と壁部中心３ｂとの間には、アキシャルベアリング１８が配置されている。ファンモータ１において、これらの回路基板９、フラックスプレート１０、コア１１、コイルボビン１２、コイル１３、メタルホルダー１４、油含浸軸受１６、及びアキシャルベアリング１８は、ステータを構成している。
【００２０】
シャフト１７の上端には、インペラ８の中心を構成するキャップ状のボス部１９が圧入または接着などにより固定されている。ボス部１９の裏面側には、金属製で円環状のロータヨーク２０が配置され、ボス部１９内でロータヨーク２０の内面側には、円環状のマグネット２１が接着などにより固定されている。マグネット２１は、コア１１及びコイル１３から回転軸線Ｘと垂直な方向に離間した位置でコア１１及びコイル１３に対面している。ファンモータ１において、シャフト１７、インペラ８、ロータヨーク２０、及びマグネット２１は、ロータを構成している。
【００２１】
図１〜図５に示されるように、インペラ８は、上記のモータ部７が内部に配置されたボス部１９と、ボス部１９の周縁に連設されて、ボス部１９の周囲で回転軸線Ｘに対し略直交して延在する円形の板部２２と、板部２２の上面側（カバー６側）２２ａに形成されたそれぞれ複数の外周側羽根部２３及び内周側羽根部２４と、下面側（壁部３側）２２ｂに形成された複数の他の羽根部２６とを有している。これらのボス部１９、板部２２、羽根部２３，２４，２６は、一体成型により成形されている。インペラ８は、モータ部７で生じた回転力により、シャフト１７、ロータヨーク２０、及びマグネット２１と一体となってシャフト１７を中心に回転方向Ｒに回転し、吸気口６ａ，３ａから空気を吸い込むと共に排気口４ａから空気を排出する。なお、吸気口６ａからの吸気量は、吸気口３ａからの吸気量に比べて大きくなる。
【００２２】
図６はインペラ８を示す斜視図、図７（ａ）はインペラ８の平面図である。図６及び図７（ａ）に示されるように、各外周側羽根部２３は、板部２２の外周部の上面側２２ａから回転軸線Ｘ方向上方に突出している。複数の外周側羽根部２３は、回転軸線Ｘを中心とする円周Ｃ１上で等間隔に配置されている。各外周側羽根部２３の中心点２３ａは、円周Ｃ１上に位置している。外周側羽根部２３の中心点２３ａとは、外周側羽根部２３の厚みを等分する中線の中点を意味する。
【００２３】
さらに、各内周側羽根部２４は、板部２２の内周部（ボス部１９寄りの部分）の上面側２２ａから回転軸線Ｘ方向上方に突出している。複数の内周側羽根部２４は、回転軸線Ｘを中心とする円周Ｃ２上で等間隔に配置されている。各内周側羽根部２４の中心点２４ａは、円周Ｃ２上に位置している。内周側羽根部２４の中心点２４ａとは、内周側羽根部２４の厚みを等分する中線の中点を意味する。円周Ｃ２の直径は円周Ｃ１の直径よりも小さい。複数の内周側羽根部２４は、複数の外周側羽根部２３の内側、すなわち複数の外周側羽根部２３とボス部１９との間に配列されている。
【００２４】
外周側羽根部２３の枚数は例えば１９枚、内周側羽根部２４の枚数は例えば１３枚である。外周側羽根部２３の枚数は、内周側羽根部２４の枚数よりも多くなっている。外周側羽根部２３の枚数を多くすることにより、外周側羽根部２３の１枚あたりの表面積が小さくなっている。外周側羽根部２３および内周側羽根部２４の枚数は、ファンモータ１に求められる風量や静圧などの条件に応じて適宜設定することができる。
【００２５】
図３に示されるように、ケーシング２内に収容された状態で、インペラ８の内周側羽根部２４はカバー６の吸気口６ａから露出している。外周側羽根部２３は、カバー６によって覆われている。
【００２６】
図７（ｂ）に示されるように、各外周側羽根部２３は、緩やかに湾曲した一般的な翼形状であると共に、中心点２３ａにおける円周Ｃ１の接線Ｌ２に対して角度θ１だけ傾斜している。より詳しくは、外周側羽根部２３の傾き角θ１は、回転軸線Ｘと外周側羽根部２３の中心点２３ａとを結ぶ直線Ｌ１に直交し且つ中心点２３ａを通る直線（すなわち接線）Ｌ２と、外周側羽根部２３の回転方向Ｒ前方の端点２３ｂおよび回転方向Ｒ後方の端点２３ｃを結ぶ直線Ｌ３とのなす角である。
【００２７】
図７（ｃ）に示されるように、各内周側羽根部２４は、緩やかに湾曲した一般的な翼形状であると共に、中心点２４ａにおける円周Ｃ２の接線Ｌ５に対して角度θ２だけ傾斜している。より詳しくは、内周側羽根部２４の傾き角θ２は、回転軸線Ｘと内周側羽根部２４の中心点２４ａとを結ぶ直線Ｌ４に直交し且つ中心点２４ａを通る直線（すなわち接線）Ｌ５と、内周側羽根部２４の回転方向Ｒ前方の端点２４ｂおよび回転方向Ｒ後方の端点２４ｃを結ぶ直線Ｌ６とのなす角である。
【００２８】
ここで、本実施形態のファンモータ１にあっては、インペラ８における各内周側羽根部２４の傾き角θ２は、各外周側羽根部２３の傾き角θ１よりも小さくなっている。具体的には、各内周側羽根部２４の傾き角θ２は例えば２０°であり、各外周側羽根部２３の傾き角θ１は例えば４５°である。
【００２９】
図８（ａ）はインペラ８の底面図である。図８（ａ）に示されるように、外周側羽根部２３及び内周側羽根部２４とは別の複数の羽根部２６は、板部２２の外周部の下面側２２ｂから回転軸線Ｘ方向下方に突出している。複数の羽根部２６は、回転軸線Ｘを中心とする円周Ｃ３上で等間隔に配置されている。各羽根部２６の中心点２６ａは、円周Ｃ３上に位置している。羽根部２６の中心点２６ａとは、羽根部２６の厚みを等分する中線の中点を意味する。例えば、羽根部２６の枚数は、外周側羽根部２３の枚数に等しくなっている。さらに、円周Ｃ３は平面視において円周Ｃ１に一致しており、羽根部２６は、板部２２に対して外周側羽根部２３と面対称をなしている。
【００３０】
板部２２の下面側２２ｂには、内周側羽根部２４のような羽根部は設けられていない。すなわち、板部２２の下面側２２ｂには、複数の羽根部２６のみが設けられている。複数の羽根部２６は、回転軸線Ｘに垂直な方向でモータ部７から離間すると共に、モータ部７を包囲している。複数の羽根部２６とモータ部７との間には、例えばリード線などを配線するための円環状のスペースＳが形成されている（図４及び図５参照）。これらの複数の羽根部２６は、ボス部１９との間に円環状のスペースＳを確保するようにして設けられている。
【００３１】
図８（ｂ）に示されるように、各羽根部２６は、緩やかに湾曲した一般的な翼形状であると共に、中心点２６ａにおける円周Ｃ３の接線Ｌ８に対して角度φだけ傾斜している。より詳しくは、羽根部２６の傾き角φは、回転軸線Ｘと羽根部２６の中心点２６ａとを結ぶ直線Ｌ７に直交し且つ中心点２６ａを通る直線（すなわち接線）Ｌ８と、羽根部２６の回転方向Ｒ前方の端点２６ｂおよび回転方向Ｒ後方の端点２６ｃを結ぶ直線Ｌ９とのなす角である。各羽根部２６の傾き角φは、各外周側羽根部２３の傾き角θ１に等しくなっている。
【００３２】
図４に示されるように、ケーシング２内に収容された状態で、インペラ８の羽根部２６は壁部３によって覆われている。スペースＳは壁部３の吸気口３ａから露出している。
【００３３】
上記構成を有するインペラ８において、複数の外周側羽根部２３は、板部２２の外周部において円周Ｃ１の接線Ｌ２に対して比較的大きい角度で傾斜しており、主に風量を生むために設けられている。図１に示されるように、複数の外周側羽根部２３は、主として、吸気口６ａから吸い込まれた空気を排気口４ａに向けて送り出す。一方、複数の内周側羽根部２４は、板部２２の内周部において円周Ｃ２の接線Ｌ５に対して比較的小さい角度で傾斜しており、主に静圧を高めるために設けられている。複数の内周側羽根部２４は、主として、外周側羽根部２３によって排気口４ａに送り出された空気が吸気口６ａ側へ向けて逆流することを防止する。言い換えれば、各内周側羽根部２４は、吸気口６ａから排気口４ａへ向けての空気の流れを大幅に妨げない程度に、回転方向Ｒに対して鋭角に傾斜している。
【００３４】
複数の羽根部２６は、板部２２の外周部において円周Ｃ３の接線Ｌ８に対して比較的大きい角度で傾斜しており、主に風量を生むために設けられている。図２に示されるように、複数の羽根部２６は、主として、吸気口３ａから吸い込まれた空気を排気口４ａに向けて送り出す。
【００３５】
以上説明したファンモータ１によれば、インペラ８の回転により、吸気口６ａから空気が吸い込まれ、吸い込まれた空気が排気口４ａから排出される。複数の外周側羽根部２３は、中心点２３ａが円周Ｃ１上に位置するように配置されており、複数の内周側羽根部２４は、ボス部１９と外周側羽根部２３との間において、中心点２４ａが円周Ｃ２上に位置するように配置されている。このように二重に設けられた羽根部２３，２４において、内周側羽根部２４の中心点２４ａにおける円周Ｃ２の接線Ｌ５と内周側羽根部２４の両端２４ｂ，２４ｃを結ぶ直線Ｌ６とのなす傾き角θ２は、外周側羽根部２３の中心点２３ａにおける円周Ｃ１の接線Ｌ２と外周側羽根部２３の両端２３ｂ，２３ｃを結ぶ直線Ｌ３とのなす傾き角θ１よりも小さくなっている。（図７参照）。このように、円周Ｃ１の接線Ｌ２に対する傾き角が比較的大きい外周側羽根部２３は、主として風量を発生させるのに寄与し、円周Ｃ２の接線Ｌ５に対する傾き角が比較的小さい内周側羽根部２４は、排気口４ａ側から吸気口６ａ側へ向けての空気の逆流を防止することにより、主として静圧を高めるのに寄与する。したがって、これらの外周側羽根部２３と内周側羽根部２４との協働により、十分な風量および静圧が得られ、ファン性能の向上が図られている。
【００３６】
また、複数の外周側羽根部２３の枚数は、複数の内周側羽根部２４の枚数よりも多い。風量の発生に寄与する外周側羽根部２３の枚数を多くすることで、全体として所定の表面積を維持しながらも、外周側羽根部２３の１枚あたりの表面積を小さくできる。これにより、外周側羽根部２３の１枚あたりによって送られる風量を少なくでき、ケーシング２とインペラ８との間で生じる騒音（風切り音）を低減することができる。
【００３７】
さらに、板部２２の下面側２２ｂには、ボス部１９との間に円環状のスペースＳを確保するようにして複数の羽根部２６のみが設けられ、その内周側には羽根部は設けられていない。よって、リード線等のためのスペースＳを確保しつつ、最大限の風量を発揮することができる。
【００３８】
（実験例）
本実施形態の実験例に係るインペラ８を用いた場合と、図９に示した比較例に係るインペラ４０，５０，６０を用いた場合とで、風量および静圧をシミュレーションにより算出した。図９に示されるように、比較例１に係るインペラ４０は、くの字状の羽根部４１を複数有している。比較例２に係るインペラ５０は、板部５１の外周部の上下面において羽根部５２，５３を複数有している。羽根部５２，５３の枚数や傾き角は、インペラ８の羽根部２３，２６と同一に設定しており、１枚当たりの表面積は羽根部２３，２６よりもやや小さく設定している。比較例３に係るインペラ６０は、板部６１の外周部の上下面において羽根部６２，６３を複数有している。羽根部６２，６３の枚数や傾き角は、インペラ８の羽根部２３，２６と同一に設定しており、１枚当たりの表面積は羽根部２３，２６よりもやや大きく設定している。
【００３９】
このシミュレーションでは、それぞれの場合において略等しい風量を発揮した場合の静圧を比較した。なお、ケーシング２のサイズやインペラ外径の条件は実験例および各比較例において統一している。シミュレーション結果を表１に示す。
【００４０】
【表１】
2013072388.tif 000003
【００４１】
表１に示されるように、本実施形態に係るインペラ８を用いた場合、０．０５８ｍ３／ｓの風量に対し、静圧は４９．７Ｐａであった。インペラ４０を用いた場合、０．０５８ｍ３／ｓの風量に対し、静圧は３８．３Ｐａであった。インペラ５０を用いた場合、０．０５６ｍ３／ｓの風量に対し、静圧は３９．４Ｐａであった。インペラ６０を用いた場合、０．０６１ｍ３／ｓの風量に対し、静圧は３３．２Ｐａであった。
【００４２】
上記シミュレーション結果から、インペラ８を用いたファンモータ１では、比較例に係るインペラ４０，５０，６０を用いた各ファンモータよりも、略等しい風量を発揮した場合に、それぞれ約３０％、約２６％、及び約５０％だけ静圧が大きくなることが確認された。外周側羽根部２３に加えて内周側羽根部２４を設け、二重の配列とすることで、風量および静圧を確保できることが示された。
【００４３】
以上、本発明の実施形態について詳述したが、本発明は上記実施形態に限られるものではない。例えば、上記実施形態では、板部２２の上面側２２ａのみに二重の羽根部２３，２４を設けたが、板部２２の下面側２２ｂに二重の羽根部を設けてもよい。外周側羽根部２３及び内周側羽根部２４は、風量、静圧、騒音などを考慮して適宜配置することができる。例えば、外周側羽根部２３と内周側羽根部２４とを同じ枚数にし、各外周側羽根部２３の間の位置に各内周側羽根部２４が配置されるようにしてもよい。また、内周側羽根部２４の枚数を外周側羽根部２３の枚数の半分にし、２枚の外周側羽根部２３の間の位置に内周側羽根部２４が設けられる部分と、内周側羽根部２４が設けられない部分と、を交互に設けてもよい。
【００４４】
また、上記実施形態では、羽根部２６が、板部２２に対して外周側羽根部２３と面対称をなしている場合について説明したが、面対称でなくてもよい。外周側羽根部２３および羽根部２６のそれぞれは、吸気口６ａ，３ａの直径に応じて適宜配置することができる。また、羽根部は湾曲した形状に限られず、平板状であってもよい。上記実施形態では、両面吸気のファンモータについて説明したが、壁部３に吸気口３ａが形成されないファンモータであってもよい。
【符号の説明】
【００４５】
１…ファンモータ、２…ケーシング、３…第２の壁部、６…カバー（第１の壁部）、６ａ…吸気口、７…モータ部、８…インペラ、１９…ボス部、２２…板部、２３…外周側羽根部、２３ａ…中心点、２４…内周側羽根部、２４ａ…中心点、２６…羽根部（他の羽根部）、Ｃ１…円周（第１の円周）、Ｃ２…円周（第２の円周）、Ｌ２，Ｌ５…接線、Ｒ…回転方向、Ｘ…回転軸線、θ１，θ２…傾き角。
【図１】
2013072388.tif 000004
【図２】
2013072388.tif 000005
【図３】
2013072388.tif 000006
【図４】
2013072388.tif 000007
【図５】
2013072388.tif 000008
【図６】
2013072388.tif 000009
【図７】
2013072388.tif 000010
【図８】
2013072388.tif 000011
【図９】
2013072388.tif 000012